【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
画像入力装置で入力処理した入力データを画像出力装置に印刷依頼する印刷制御装置において、
前記入力データの出力の指示を受け付ける指示受付手段と、
前記指示受付手段で受け付けた前記入力データの出力の指示に基づき、ジョブを作成するジョブ作成手段と、
前記入力データを前記印刷イメージに変換する印刷イメージ変換手段と、
前記入力データに対して白紙検知を実施する白紙検知手段と、
前記白紙検知手段で白紙と検知されたページに対応する入力データを削除する白紙ページ処理手段と、
前記白紙検知手段で白紙ではないと検知されたページに対応する入力データを電子ファイルに変換する電子ファイル変換手段と、
前記ジョブ作成手段で作成したジョブに従って、前記イメージ変換手段で入力データから変換した印刷イメージ、および前記電子ファイル変換手段で入力データから変換した電子ファイルをファイルとして保存するファイル管理手段と、
前記印刷イメージを前記画像出力装置に送信する印刷イメージ送信手段と
を具備することを特徴とする印刷制御装置。
【請求項２】
前記印刷イメージ送信手段は、
前記画像出力装置に送信する印刷イメージの数を算出する印刷イメージアカウント手段
を具備することを特徴とする請求項１記載の印刷制御装置。
【請求項３】
前記指示受付手段で受け付けた入力データの出力の指示を記述した指示書を作成する指示書作成手段
を更に具備し、
前記ジョブ作成手段は、
前記指示書作成手段で作成した指示書に基づき、前記ジョブを作成する
ことを特徴とする請求項１記載の印刷制御装置。
【請求項４】
前記印刷イメージに対するページ番号付与の制御を実施する
ことを特徴とする請求項１記載の印刷制御装置。
【請求項５】
画像入力装置で入力処理した入力データを画像出力装置に印刷依頼する印刷制御装置において、
前記入力データの出力の指示を受け付ける指示受付手段と、
前記指示受付手段で受け付けた前記入力データの出力の指示に基づき、ジョブを作成するジョブ作成手段と、
前記入力データをシングルページ毎のファイルに変換するシングルページ変換手段と、
前記シングルページ変換手段で変換したシングルページ毎のファイルに対して白紙検知を実施する白紙検知手段と、
前記白紙検知手段で白紙と検知されたページに対応するファイルにＯＮフラグを設定し、該白紙検知手段で白紙ではないと検知されたページに対応するファイルにＯＦＦフラグを設定するフラグ設定手段と、
前記フラグ設定手段でＯＮフラグが設定されたページに対応するファイルを削除し、該フラグ設定手段でＯＦＦフラグが設定されたページに対応するファイルを前記電子ファイルに変換する電子ファイル変換手段と、
前記ＯＮフラグおよび前記ＯＦＦフラグの設定を保持して、前記ファイルを前記印刷イメージに変換する印刷イメージ変換手段と、
前記イメージ変換手段で入力データから変換した印刷イメージ、および前記電子ファイル変換手段で入力データから変換した電子ファイルをファイルとして保存するファイル管理手段と、
前記印刷イメージを前記画像出力装置に送信する印刷イメージ送信手段と
を具備することを特徴とする印刷制御装置。
【請求項６】
前記印刷イメージ送信手段は、
前記印刷イメージに設定されているＯＮフラグに基づいて白紙のイメージの数を算出し、該算出した白紙のイメージの数を除く前記画像出力装置に送信する印刷イメージの数を算出する印刷イメージアカウント手段
を具備することを特徴とする請求項５記載の印刷制御装置。
【請求項７】
前記ＯＦＦフラグが設定されている印刷イメージのサムネイルを表示する
ことを特徴とする請求項５記載の印刷制御装置。
【請求項８】
前記指示受付手段で受け付けた入力データの出力の指示を記述した指示書を作成する指示書作成手段
を更に具備し、
前記ジョブ作成手段は、
前記指示書作成手段で作成した指示書に基づき、前記ジョブを作成する
ことを特徴とする請求項５記載の印刷制御装置。
【請求項９】
前記印刷イメージに対するページ番号付与の制御を実施する
ことを特徴とする請求項５記載の印刷制御装置。
【請求項１０】
画像入力装置で入力処理した入力データを画像出力装置に印刷依頼する印刷制御装置において、
前記入力データの出力の指示を受け付ける指示受付手段と、
前記指示受付手段で受け付けた前記入力データの出力の指示に基づき、ジョブを作成するジョブ作成手段と、
前記入力データをシングルページ毎のファイルに変換するシングルページ変換手段と、
前記シングルページ変換手段で変換したシングルページ毎のファイルに対して白紙検知を実施する白紙検知手段と、
前記白紙検知手段で白紙と検知されたページに対応するファイルを削除し、該白紙と検知されたページを白紙の位置情報に記録する白紙ページ処理手段と、
前記白紙検知手段で白紙ではないと検知されたページに対応するファイルを前記電子ファイルに変換する電子ファイル変換手段と、
前記白紙検知手段で白紙ではないと検知されたページに対応するファイルを前記印刷イメージに変換する印刷イメージ変換手段と、
前記イメージ変換手段で入力データから変換した印刷イメージ、および前記電子ファイル変換手段で入力データから変換した電子ファイルをファイルとして保存するファイル管理手段と、
前記印刷イメージを前記画像出力装置に送信する印刷イメージ送信手段と
を具備することを特徴とする印刷制御装置。
【請求項１１】
前記印刷イメージ送信手段は、
前記白紙の位置情報に基づいて前記白紙のページの位置を確認し、予め用意した白紙イメージを前記画像出力装置に送信する
ことを特徴とする請求項１０記載の印刷制御装置。
【請求項１２】
前記印刷イメージ送信手段は、
前記画像出力装置に送信する印刷イメージの数を算出する印刷イメージアカウント手段
を具備することを特徴とする請求項１１記載の印刷制御装置。
【請求項１３】
前記ファイル管理手段は、
前記印刷イメージ変換手段で変換した印刷イメージとともに、前記白紙ページ処理手段で記録した白紙の位置情報を保存する
ことを特徴とする請求項１０記載の印刷制御装置。
【請求項１４】
前記指示受付手段で受け付けた入力データの出力の指示を記述した指示書を作成する指示書作成手段
を更に具備し、
前記ジョブ作成手段は、
前記指示書作成手段で作成した指示書に基づき、前記ジョブを作成する
ことを特徴とする請求項１０記載の印刷制御装置。
【請求項１５】
前記印刷イメージに対するページ番号付与の制御を実施する
ことを特徴とする請求項１０記載の印刷制御装置。
【請求項１６】
コンピュータを、画像入力装置で入力処理した入力データを画像出力装置に印刷依頼する印刷制御装置として機能させる印刷制御プログラムにおいて、
前記入力データの出力の指示を受け付ける指示受付処理と、
前記受け付けた入力データの出力の指示に基づき、ジョブを作成するジョブ作成処理と、
前記入力データを前記印刷イメージに変換する印刷イメージ変換処理と、
前記入力データに対して白紙検知を実施する白紙検知処理と、
前記白紙検知処理により白紙と検知されたページに対応する入力データを削除する入力データ削除処理と、
前記白紙検知により白紙ではないと検知されたページに対応する入力データを電子ファイルに変換する電子ファイル変換処理と、
前記ジョブに従って、前記入力データから変換した印刷イメージおよび電子ファイルをファイルとして保存するファイル管理処理と、
前記印刷イメージを前記画像出力装置に送信する印刷イメージ送信処理と
をコンピュータに実行させることを特徴とする印刷制御プログラム。
【請求項１７】
前記印刷イメージを前記画像出力装置に送信する際に、前記画像出力装置に送信する印刷イメージの数を算出する印刷イメージアカウント処理
を更にコンピュータに実行させることを特徴とする請求項１６記載の印刷制御プログラム。
【請求項１８】
前記入力データの出力の指示を記述した指示書を作成する指示書作成処理
を更にコンピュータに実行させ、
前記ジョブ作成処理は、
前記作成した指示書に基づき、前記ジョブを作成する
ことを特徴とする請求項１６記載の印刷制御プログラム。
【請求項１９】
前記印刷イメージに対するページ番号付与の制御を実施するページ番号付与制御処理
を更にコンピュータに実行させることを特徴とする請求項１６記載の印刷制御プログラム。
【請求項２０】
コンピュータを、画像入力装置で入力処理した入力データを画像出力装置に印刷依頼する印刷制御装置として機能させる印刷制御プログラムにおいて、
前記入力データの出力の指示を受け付ける指示受付処理と、
前記受け付けた前記入力データの出力の指示に基づき、ジョブを作成するジョブ作成処理と、
前記入力データをシングルページ毎のファイルに変換するファイル変換処理と、
前記変換したシングルページ毎のファイルに対して白紙検知を実施する白紙検知処理と、
前記白紙検知により白紙と検知されたページに対応するファイルにＯＮフラグを設定し、前記白紙検知により白紙ではないと検知されたページに対応するファイルにＯＦＦフラグを設定するフラグ設定処理と、
前記ＯＮフラグが設定されたページに対応するファイルを削除するファイル削除処理と、
前記ＯＦＦフラグが設定されたページに対応するファイルを前記電子ファイルに変換するファイル変換処理と、
前記ＯＮフラグおよび前記ＯＦＦフラグの設定を保持して、前記ファイルを前記印刷イメージに変換する印刷イメージ変換処理と、
前記入力データから変換した印刷イメージおよび電子ファイルをファイルとして保存するファイル管理処理と、
前記印刷イメージを前記画像出力装置に送信する印刷イメージ送信処理と
をコンピュータに実行させることを特徴とする印刷制御プログラム。
【請求項２１】
前記印刷イメージを前記画像出力装置に送信する際に、前記印刷イメージに設定されているＯＮフラグに基づいて白紙のイメージの数を算出し、該算出した白紙のイメージの数を除く前記画像出力装置に送信する印刷イメージの数を算出する印刷イメージアカウント処理
をコンピュータに実行させることを特徴とする請求項２０記載の印刷制御プログラム。
【請求項２２】
前記ＯＦＦフラグが設定されている印刷イメージのサムネイルを表示するサムネイル表示処理
をコンピュータに実行させることを特徴とする請求項２０記載の印刷制御プログラム。
【請求項２３】
前記入力データの出力の指示を記述した指示書を作成する指示書作成処理
を更にコンピュータに実行させ、
前記ジョブ作成処理は、
前記作成した指示書に基づき、前記ジョブを作成する
ことを特徴とする請求項２０記載の印刷制御プログラム。
【請求項２４】
前記印刷イメージに対するページ番号付与の制御を実施するページ番号付与制御処理
を更にコンピュータに実行させることを特徴とする請求項２０記載の印刷制御プログラム。
【請求項２５】
コンピュータを、画像入力装置で入力処理した入力データを画像出力装置に印刷依頼する印刷制御装置として機能させる印刷制御プログラムにおいて、
前記入力データの出力の指示を受け付ける指示受付処理と、
前記受け付けた入力データの出力の指示に基づき、ジョブを作成するジョブ作成処理と、
前記入力データをシングルページ毎のファイルに変換するファイル変換処理と、
前記変換したシングルページ毎のファイルに対して白紙検知を実施する白紙検知処理と、
前記白紙検知により白紙と検知されたページに対応するファイルを削除し、前記白紙と検知されたページを白紙の位置情報に記録する位置情報記録処理と、
前記白紙検知により白紙ではないと検知されたページに対応するファイルを前記電子ファイルに変換するファイル変換処理と、
前記白紙検知により白紙ではないと検知されたページに対応するファイルを前記印刷イメージに変換する印刷イメージ変換処理と、
前記入力データから変換した印刷イメージおよび電子ファイルをファイルとして保存するファイル管理処理と、
前記印刷イメージを前記画像出力装置に送信する印刷イメージ送信処理と
をコンピュータに実行させることを特徴とする印刷制御プログラム。
【請求項２６】
前記印刷イメージ送信処理は、
前記印刷イメージを前記画像出力装置に送信する際に、前記白紙の位置情報に基づいて前記白紙のページの位置を確認し、予め用意した白紙イメージを前記画像出力装置に送信する
ことを特徴とする請求項２５記載の印刷制御プログラム。
【請求項２７】
前記印刷イメージを前記画像出力装置に送信する際に、前記画像出力装置に送信する印刷イメージの数を算出する印刷イメージアカウント処理
をコンピュータに実行させることを特徴とする請求項２６記載の印刷制御プログラム。
【請求項２８】
前記ファイル管理処理は、
前記印刷イメージを保存するとともに、前記白紙の位置情報を保存する
ことを特徴とする請求項２５記載の印刷制御プログラム。
【請求項２９】
前記入力データの出力の指示を記述した指示書を作成する指示書作成処理
を更にコンピュータに実行させ、
前記ジョブ作成処理は、
前記作成した指示書に基づき、前記ジョブを作成する
ことを特徴とする請求項２５記載の印刷制御プログラム。
【請求項３０】
前記印刷イメージに対するページ番号付与の制御を実施するページ番号付与制御処理
をコンピュータに実行させることを特徴とする請求項２５記載の印刷制御プログラム。
【手続補正２】
【補正対象書類名】明細書
【補正対象項目名】発明の名称
【補正方法】変更
【補正の内容】
【発明の名称】印刷制御装置およびプログラム
【手続補正３】
【補正対象書類名】明細書
【補正対象項目名】０００１
【補正方法】変更
【補正の内容】
【０００１】
本発明は、印刷制御装置およびプログラムに関し、特に、１回のスキャンで、電子化したファイルへの出力、および紙への出力を実施する印刷制御装置およびプログラムに関する。
【手続補正４】
【補正対象書類名】明細書
【補正対象項目名】０００６
【補正方法】変更
【補正の内容】
【０００６】
そこで、本発明は、１回のスキャンで同時に、電子化したファイルへの出力では白紙のページを削除し、紙への出力では原稿と全く同じように両面は両面で印刷し、片面は片面で印刷することが可能な印刷制御装置およびプログラムを提供することを目的とする。
【手続補正５】
【補正対象書類名】明細書
【補正対象項目名】０００７
【補正方法】変更
【補正の内容】
【０００７】
上記目的を達成するため、請求項１の発明は、画像入力装置で入力処理した入力データを画像出力装置に印刷依頼する印刷制御装置において、前記入力データの出力の指示を受け付ける指示受付手段と、前記指示受付手段で受け付けた前記入力データの出力の指示に基づき、ジョブを作成するジョブ作成手段と、前記入力データを前記印刷イメージに変換する印刷イメージ変換手段と、前記入力データに対して白紙検知を実施する白紙検知手段と、前記白紙検知手段で白紙と検知されたページに対応する入力データを削除する白紙ページ処理手段と、前記白紙検知手段で白紙ではないと検知されたページに対応する入力データを電子ファイルに変換する電子ファイル変換手段と、前記ジョブ作成手段で作成したジョブに従って、前記イメージ変換手段で入力データから変換した印刷イメージ、および前記電子ファイル変換手段で入力データから変換した電子ファイルをファイルとして保存するファイル管理手段と、前記印刷イメージを前記画像出力装置に送信する印刷イメージ送信手段とを具備することを特徴とする。
【手続補正６】
【補正対象書類名】明細書
【補正対象項目名】０００８
【補正方法】変更
【補正の内容】
【０００８】
なお、指示受付手段は図２に示す指示受付モジュール６に対応し、ジョブ作成手段は図２に示すジョブ作成手段１５に対応し、印刷イメージ変換手段は図３に示す印刷イメージ変換手段２０１に対応し、白紙検知手段は図３に示す白紙検知手段１７１に対応し、白紙ページ処理手段は図３に示す白紙ページ処理手段１８１に対応し、電子ファイル変換手段は図３に示す電子ファイル変換手段１９１に対応し、ファイル管理手段は図２に示すファイル管理モジュール１１に対応し、印刷イメージ送信手段は図２に示す印刷イメージ送信モジュール１３に対応する。
【手続補正７】
【補正対象書類名】明細書
【補正対象項目名】００１１
【補正方法】変更
【補正の内容】
【００１１】
また、請求項３の発明は、請求項１の発明において、前記指示受付手段で受け付けた入力データの出力の指示を記述した指示書を作成する指示書作成手段を更に具備し、前記ジョブ作成手段は、前記指示書作成手段で作成した指示書に基づき、前記ジョブを作成することを特徴とする。
【手続補正８】
【補正対象書類名】明細書
【補正対象項目名】００１４
【補正方法】変更
【補正の内容】
【００１４】
また、請求項５の発明は、画像入力装置で入力処理した入力データを画像出力装置に印刷依頼する印刷制御装置において、前記入力データの出力の指示を受け付ける指示受付手段と、前記指示受付手段で受け付けた前記入力データの出力の指示に基づき、ジョブを作成するジョブ作成手段と、前記入力データをシングルページ毎のファイルに変換するシングルページ変換手段と、前記シングルページ変換手段で変換したシングルページ毎のファイルに対して白紙検知を実施する白紙検知手段と、前記白紙検知手段で白紙と検知されたページに対応するファイルにＯＮフラグを設定し、該白紙検知手段で白紙ではないと検知されたページに対応するファイルにＯＦＦフラグを設定するフラグ設定手段と、前記フラグ設定手段でＯＮフラグが設定されたページに対応するファイルを削除し、該フラグ設定手段でＯＦＦフラグが設定されたページに対応するファイルを前記電子ファイルに変換する電子ファイル変換手段と、前記ＯＮフラグおよび前記ＯＦＦフラグの設定を保持して、前記ファイルを前記印刷イメージに変換する印刷イメージ変換手段と、前記イメージ変換手段で入力データから変換した印刷イメージ、および前記電子ファイル変換手段で入力データから変換した電子ファイルをファイルとして保存するファイル管理手段と、前記印刷イメージを前記画像出力装置に送信する印刷イメージ送信手段とを具備することを特徴とする。
【手続補正９】
【補正対象書類名】明細書
【補正対象項目名】００１５
【補正方法】変更
【補正の内容】
【００１５】
なお、指示受付手段は図２に示す指示受付モジュール６に対応し、ジョブ作成手段は図２に示すジョブ作成手段１５に対応し、シングルページ変換手段は図７に示すシングルページ変換手段２４２に対応し、白紙検知手段は図７に示す白紙検知手段１７２に対応し、フラグ設定手段は図７に示すフラグ設定手段２５に対応し、電子ファイル変換手段は図７に示す電子ファイル変換手段１９２に対応し、印刷イメージ変換手段は図７に示す印刷イメージ変換手段２０２に対応し、ファイル管理手段は図２に示すファイル管理モジュール１１に対応し、印刷イメージ送信手段は図２に示す印刷イメージ送信モジュール１３に対応する。
【手続補正１０】
【補正対象書類名】明細書
【補正対象項目名】００１９
【補正方法】変更
【補正の内容】
【００１９】
また、請求項８の発明は、請求項５の発明において、前記指示受付手段で受け付けた入力データの出力の指示を記述した指示書を作成する指示書作成手段を更に具備し、前記ジョブ作成手段は、前記指示書作成手段で作成した指示書に基づき、前記ジョブを作成することを特徴とする。
【手続補正１１】
【補正対象書類名】明細書
【補正対象項目名】００２２
【補正方法】変更
【補正の内容】
【００２２】
また、請求項１０の発明は、画像入力装置で入力処理した入力データを画像出力装置に印刷依頼する印刷制御装置において、前記入力データの出力の指示を受け付ける指示受付手段と、前記指示受付手段で受け付けた前記入力データの出力の指示に基づき、ジョブを作成するジョブ作成手段と、前記入力データをシングルページ毎のファイルに変換するシングルページ変換手段と、前記シングルページ変換手段で変換したシングルページ毎のファイルに対して白紙検知を実施する白紙検知手段と、前記白紙検知手段で白紙と検知されたページに対応するファイルを削除し、該白紙と検知されたページを白紙の位置情報に記録する白紙ページ処理手段と、前記白紙検知手段で白紙ではないと検知されたページに対応するファイルを前記電子ファイルに変換する電子ファイル変換手段と、前記白紙検知手段で白紙ではないと検知されたページに対応するファイルを前記印刷イメージに変換する印刷イメージ変換手段と、前記イメージ変換手段で入力データから変換した印刷イメージ、および前記電子ファイル変換手段で入力データから変換した電子ファイルをファイルとして保存するファイル管理手段と、前記印刷イメージを前記画像出力装置に送信する印刷イメージ送信手段とを具備することを特徴とする。
【手続補正１２】
【補正対象書類名】明細書
【補正対象項目名】００２３
【補正方法】変更
【補正の内容】
【００２３】
なお、指示受付手段は図２に示す指示受付モジュール６に対応し、ジョブ作成手段は図２に示すジョブ作成手段１５に対応し、シングルページ変換手段は図１２に示すシングルページ変換手段２４３に対応し、白紙検知手段は図１２に示す白紙検知手段１７３に対応し、白紙ページ処理手段は図１２に示す白紙ページ処理手段１８３に対応し、電子ファイル変換手段は図１２に示す電子ファイル変換手段１９３に対応し、印刷イメージ変換手段は図１２に示す印刷イメージ変換手段２０３に対応し、ファイル管理手段は図２に示すファイル管理モジュール１１に対応し、印刷イメージ送信手段は図２に示す印刷イメージ送信モジュール１３に対応する。
【手続補正１３】
【補正対象書類名】明細書
【補正対象項目名】００２８
【補正方法】変更
【補正の内容】
【００２８】
また、請求項１４の発明は、請求項１０の発明において、前記指示受付手段で受け付けた入力データの出力の指示を記述した指示書を作成する指示書作成手段を更に具備し、前記ジョブ作成手段は、前記指示書作成手段で作成した指示書に基づき、前記ジョブを作成することを特徴とする。
【手続補正１４】
【補正対象書類名】明細書
【補正対象項目名】００３１
【補正方法】変更
【補正の内容】
【００３１】
また、請求項１６の発明は、コンピュータを、画像入力装置で入力処理した入力データを画像出力装置に印刷依頼する印刷制御装置として機能させる印刷制御プログラムにおいて、前記入力データの出力の指示を受け付ける指示受付処理と、前記受け付けた入力データの出力の指示に基づき、ジョブを作成するジョブ作成処理と、前記入力データを前記印刷イメージに変換する印刷イメージ変換処理と、前記入力データに対して白紙検知を実施する白紙検知処理と、前記白紙検知処理により白紙と検知されたページに対応する入力データを削除する入力データ削除処理と、前記白紙検知により白紙ではないと検知されたページに対応する入力データを電子ファイルに変換する電子ファイル変換処理と、前記ジョブに従って、前記入力データから変換した印刷イメージおよび電子ファイルをファイルとして保存するファイル管理処理と、前記印刷イメージを前記画像出力装置に送信する印刷イメージ送信処理とをコンピュータに実行させることを特徴とする。
【手続補正１５】
【補正対象書類名】明細書
【補正対象項目名】００３２
【補正方法】変更
【補正の内容】
【００３２】
また、請求項１７の発明は、請求項１６の発明において、前記印刷イメージを前記画像出力装置に送信する際に、前記画像出力装置に送信する印刷イメージの数を算出する印刷イメージアカウント処理を更にコンピュータに実行させることを特徴とする。
【手続補正１６】
【補正対象書類名】明細書
【補正対象項目名】００３３
【補正方法】変更
【補正の内容】
【００３３】
また、請求項１８の発明は、請求項１６の発明において、前記入力データの出力の指示を記述した指示書を作成する指示書作成処理を更にコンピュータに実行させ、前記ジョブ作成処理は、前記作成した指示書に基づき、前記ジョブを作成することを特徴とする。
【手続補正１７】
【補正対象書類名】明細書
【補正対象項目名】００３４
【補正方法】変更
【補正の内容】
【００３４】
また、請求項１９の発明は、請求項１６の発明において、前記印刷イメージに対するページ番号付与の制御を実施するページ番号付与制御処理を更にコンピュータに実行させることを特徴とする。
【手続補正１８】
【補正対象書類名】明細書
【補正対象項目名】００３５
【補正方法】変更
【補正の内容】
【００３５】
また、請求項２０の発明は、コンピュータを、画像入力装置で入力処理した入力データを画像出力装置に印刷依頼する印刷制御装置として機能させる印刷制御プログラムにおいて、前記入力データの出力の指示を受け付ける指示受付処理と、前記受け付けた前記入力データの出力の指示に基づき、ジョブを作成するジョブ作成処理と、前記入力データをシングルページ毎のファイルに変換するファイル変換処理と、前記変換したシングルページ毎のファイルに対して白紙検知を実施する白紙検知処理と、前記白紙検知により白紙と検知されたページに対応するファイルにＯＮフラグを設定し、前記白紙検知により白紙ではないと検知されたページに対応するファイルにＯＦＦフラグを設定するフラグ設定処理と、前記ＯＮフラグが設定されたページに対応するファイルを削除するファイル削除処理と、前記ＯＦＦフラグが設定されたページに対応するファイルを前記電子ファイルに変換するファイル変換処理と、前記ＯＮフラグおよび前記ＯＦＦフラグの設定を保持して、前記ファイルを前記印刷イメージに変換する印刷イメージ変換処理と、前記入力データから変換した印刷イメージおよび電子ファイルをファイルとして保存するファイル管理処理と、前記印刷イメージを前記画像出力装置に送信する印刷イメージ送信処理とをコンピュータに実行させることを特徴とする。
【手続補正１９】
【補正対象書類名】明細書
【補正対象項目名】００３６
【補正方法】変更
【補正の内容】
【００３６】
また、請求項２１の発明は、請求項２０の発明において、前記印刷イメージを前記画像出力装置に送信する際に、前記印刷イメージに設定されているＯＮフラグに基づいて白紙のイメージの数を算出し、該算出した白紙のイメージの数を除く前記画像出力装置に送信する印刷イメージの数を算出する印刷イメージアカウント処理をコンピュータに実行させることを特徴とする。
【手続補正２０】
【補正対象書類名】明細書
【補正対象項目名】００３７
【補正方法】変更
【補正の内容】
【００３７】
また、請求項２２の発明は、請求項２０の発明において、前記ＯＦＦフラグが設定されている印刷イメージのサムネイルを表示するサムネイル表示処理をコンピュータに実行させることを特徴とする。
【手続補正２１】
【補正対象書類名】明細書
【補正対象項目名】００３８
【補正方法】変更
【補正の内容】
【００３８】
また、請求項２３の発明は、請求項２０の発明において、前記入力データの出力の指示を記述した指示書を作成する指示書作成処理を更にコンピュータに実行させ、前記ジョブ作成処理は、前記作成した指示書に基づき、前記ジョブを作成することを特徴とする。
【手続補正２２】
【補正対象書類名】明細書
【補正対象項目名】００３９
【補正方法】変更
【補正の内容】
【００３９】
また、請求項２４の発明は、請求項２０の発明において、前記印刷イメージに対するページ番号付与の制御を実施するページ番号付与制御処理を更にコンピュータに実行させることを特徴とする。
【手続補正２３】
【補正対象書類名】明細書
【補正対象項目名】００４０
【補正方法】変更
【補正の内容】
【００４０】
また、請求項２５の発明は、コンピュータを、画像入力装置で入力処理した入力データを画像出力装置に印刷依頼する印刷制御装置として機能させる印刷制御プログラムにおいて、前記入力データの出力の指示を受け付ける指示受付処理と、前記受け付けた入力データの出力の指示に基づき、ジョブを作成するジョブ作成処理と、前記入力データをシングルページ毎のファイルに変換するファイル変換処理と、前記変換したシングルページ毎のファイルに対して白紙検知を実施する白紙検知処理と、前記白紙検知により白紙と検知されたページに対応するファイルを削除し、前記白紙と検知されたページを白紙の位置情報に記録する位置情報記録処理と、前記白紙検知により白紙ではないと検知されたページに対応するファイルを前記電子ファイルに変換するファイル変換処理と、前記白紙検知により白紙ではないと検知されたページに対応するファイルを前記印刷イメージに変換する印刷イメージ変換処理と、前記入力データから変換した印刷イメージおよび電子ファイルをファイルとして保存するファイル管理処理と、前記印刷イメージを前記画像出力装置に送信する印刷イメージ送信処理とをコンピュータに実行させることを特徴とする。
【手続補正２４】
【補正対象書類名】明細書
【補正対象項目名】００４１
【補正方法】変更
【補正の内容】
【００４１】
また、請求項２６の発明は、請求項２５の発明において、前記印刷イメージ送信処理は、前記印刷イメージを前記画像出力装置に送信する際に、前記白紙の位置情報に基づいて前記白紙のページの位置を確認し、予め用意した白紙イメージを前記画像出力装置に送信することを特徴とする。
【手続補正２５】
【補正対象書類名】明細書
【補正対象項目名】００４２
【補正方法】変更
【補正の内容】
【００４２】
また、請求項２７の発明は、請求項２６の発明において、前記印刷イメージを前記画像出力装置に送信する際に、前記画像出力装置に送信する印刷イメージの数を算出する印刷イメージアカウント処理をコンピュータに実行させることを特徴とする。
【手続補正２６】
【補正対象書類名】明細書
【補正対象項目名】００４３
【補正方法】変更
【補正の内容】
【００４３】
また、請求項２８の発明は、請求項２５の発明において、前記ファイル管理処理は、前記印刷イメージを保存するとともに、前記白紙の位置情報を保存することを特徴とする。
【手続補正２７】
【補正対象書類名】明細書
【補正対象項目名】００４４
【補正方法】変更
【補正の内容】
【００４４】
また、請求項２９の発明は、請求項２５の発明において、前記入力データの出力の指示を記述した指示書を作成する指示書作成処理を更にコンピュータに実行させ、前記ジョブ作成処理は、前記作成した指示書に基づき、前記ジョブを作成することを特徴とする。
【手続補正２８】
【補正対象書類名】明細書
【補正対象項目名】００４５
【補正方法】変更
【補正の内容】
【００４５】
また、請求項３０の発明は、請求項２５の発明において、前記印刷イメージに対するページ番号付与の制御を実施するページ番号付与制御処理をコンピュータに実行させることを特徴とする。
【手続補正２９】
【補正対象書類名】明細書
【補正対象項目名】００６０
【補正方法】変更
【補正の内容】
【００６０】
図２に示すように、印刷制御装置２は、指示受付モジュール６、指示送信モジュール７、指示書作成モジュール８、ジョブ管理モジュール９、スキャンデータ処理モジュール１０、ファイル管理モジュール１１、ファイル保存モジュール１２、印刷イメージ送信モジュール１３を具備して構成される。
【手続補正３０】
【補正対象書類名】明細書
【補正対象項目名】００６２
【補正方法】変更
【補正の内容】
【００６２】
指示受付モジュール６は、スキャナ３に対する指示（例えば、解像度、色空間、圧縮フォーマット、イメージスキャンエリア等の指示）、スキャンデータの出力の指示（例えば、１回のスキャンで、電子化したファイル（以後、電子ファイルという）への出力の指示、および紙への出力の指示）を受け付ける指示受付ＵＩ（User Interface）１４を有している。
【手続補正３１】
【補正対象書類名】明細書
【補正対象項目名】００６３
【補正方法】変更
【補正の内容】
【００６３】
指示送信モジュール７は、指示受付モジュール６で受け付けたスキャナ３に対する指示をスキャナ３に送信する処理を行う。
【手続補正３２】
【補正対象書類名】明細書
【補正対象項目名】００６４
【補正方法】変更
【補正の内容】
【００６４】
指示書作成モジュール８は、指示受付モジュール６で受け付けたスキャンデータの出力の指示を記述した指示書を作成する処理を行う。
【手続補正３３】
【補正対象書類名】明細書
【補正対象項目名】００７８
【補正方法】変更
【補正の内容】
【００７８】
指示受付モジュール６が指示受付ＵＩ１４によりスキャナ３に対する指示およびスキャンデータの出力の指示を受け付けると、スキャナ３に対する指示を指示送信モジュール７に渡すとともに、スキャンデータの出力の指示を指示書作成モジュール８に渡す。
【手続補正３４】
【補正対象書類名】明細書
【補正対象項目名】０１１５
【補正方法】変更
【補正の内容】
【０１１５】
指示受付モジュール６が指示受付ＵＩ１４によりスキャナ３に対する指示およびスキャンデータの出力の指示を受け付けると、スキャナ３に対する指示を指示送信モジュール７に渡すとともに、スキャンデータの出力の指示を指示書作成モジュール８に渡す。
【手続補正３５】
【補正対象書類名】明細書
【補正対象項目名】０１６１
【補正方法】変更
【補正の内容】
【０１６１】
指示受付モジュール６が指示受付ＵＩ１４によりスキャナ３に対する指示およびスキャンデータの出力の指示を受け付けると、スキャナ３に対する指示を指示送信モジュール７に渡すとともに、スキャンデータの出力の指示を指示書作成モジュール７に渡す。
【手続補正３６】
【補正対象書類名】明細書
【補正対象項目名】０２０６
【補正方法】変更
【補正の内容】
【０２０６】
１    印刷制御システム
２    印刷制御装置
３    スキャナ
４    プリンタ
５    ネットワーク
６    指示受付モジュール
７    指示送信モジュール
８    指示書作成モジュール
９    ジョブ管理モジュール
１０、１０１、１０２、１０３    スキャンデータ処理モジュール
１１    ファイル管理モジュール
１２    ファイル保存モジュール
１３    印刷イメージ送信モジュール
１４    指示受付ＵＩ
１５    ジョブ作成手段
１６    印刷イメージアカウント手段
１７１、１７２、１７３    白紙検知手段
１８１、１８３    白紙ページ処理手段
１９１、１９２、１９３    電子ファイル変換手段
２０１、２０２、２０３    印刷イメージ変換手段
２１    スキャンデータ
２２１、２２２、２２３    電子ファイル
２３１、２３２、２３３    印刷イメージ
２４２、２４３    シングルページ変換手段
２５    フラグ設定手段
２６    保存されている印刷イメージ
２７    白紙の位置情報
【手続補正３７】
【補正対象書類名】図面
【補正対象項目名】図２
【補正方法】変更
【補正の内容】
【図２】
2005354591.tif 000001